(57)【特許請求の範囲】
【請求項１】
複数の接点を備える１または複数の無線端末装置から、各前記接点の状態を示す状態情報を取得する取得部と、
前記取得部により取得された前記状態情報に基づいて、前記無線端末装置を示す代表アイコンを表示する処理を行う表示処理部とを備え、
前記接点のとりうる複数の状態は、クローズを含み、
前記表示処理部は、前記接点の状態の優先度に応じて前記代表アイコンの表示態様を設定する、管理装置。
【請求項２】
前記各接点に優先度が付与されており、
前記表示処理部は、前記接点の状態の優先度および前記接点の優先度に応じて前記代表アイコンの表示態様を設定する、請求項１に記載の管理装置。
【請求項３】
前記表示処理部は、前記各接点の状態を示す態様の接点アイコンを、前記代表アイコンとともに表示する処理を行う、請求項１または請求項２に記載の管理装置。
【請求項４】
前記表示処理部は、前記接点の状態の優先度に応じて前記代表アイコンの色を設定する、請求項１から請求項３のいずれか１項に記載の管理装置。
【請求項５】
前記表示処理部は、前記代表アイコンに対する所定の操作が行われた場合に前記接点アイコンを表示する処理を行う、請求項３に記載の管理装置。
【請求項６】
前記管理装置は、さらに、
前記取得部により取得された前記状態情報に基づいて、対応の前記無線端末装置に対応付けられた出力装置の出力内容を制御する出力制御を行う出力制御部を備える、請求項１から請求項５のいずれか１項に記載の管理装置。
【請求項７】
前記出力装置は、複数の前記無線端末装置に対応付けられており、
前記出力制御部は、対応の各前記状態情報に基づいて、前記複数の無線端末装置の各々の前記接点の状態のうち最も優先度の高い状態に応じて前記出力制御を行う、請求項６に記載の管理装置。
【請求項８】
前記出力装置は、複数の前記無線端末装置に対応付けられており、
前記出力制御部は、対応の各前記無線端末装置に付与された優先度に応じて前記出力制御を行う、請求項６に記載の管理装置。
【請求項９】
前記出力装置は、複数の前記無線端末装置に対応付けられており、
前記出力制御部は、対応の各前記無線端末装置の前記各接点に付与された優先度に応じて前記出力制御を行う、請求項６に記載の管理装置。
【請求項１０】
前記出力装置は、複数の前記無線端末装置に対応付けられており、
前記出力制御部は、対応の各前記無線端末装置のうち、予め指定された前記無線端末装置の前記状態情報に基づいて前記出力制御を行う、請求項６に記載の管理装置。
【請求項１１】
複数の接点を備え、各前記接点の状態を示す状態情報を送信する１または複数の無線端末装置と、
前記無線端末装置から送信された前記状態情報を受信し、受信した前記状態情報に基づいて、前記無線端末装置を示す代表アイコンを表示する処理を行う管理装置とを備え、
前記接点のとりうる複数の状態は、クローズを含み、
前記管理装置は、前記接点の状態の優先度に応じて前記代表アイコンの表示態様を設定する、管理システム。
【請求項１２】
管理装置における管理方法であって、
複数の接点を備える１または複数の無線端末装置から、各前記接点の状態を示す状態情報を取得するステップと、
取得した前記状態情報に基づいて、前記無線端末装置を示す代表アイコンを表示する処理を行うステップとを含み、
前記接点のとりうる複数の状態は、クローズを含み、
前記代表アイコンを表示する処理を行うステップにおいて、前記接点の状態の優先度に応じて前記代表アイコンの表示態様を設定する、管理方法。
【請求項１３】
管理装置において用いられる管理プログラムであって、
コンピュータを、
複数の接点を備える１または複数の無線端末装置から、各前記接点の状態を示す状態情報を取得する取得部と、
前記取得部により取得された前記状態情報に基づいて、前記無線端末装置を示す代表アイコンを表示する処理を行う表示処理部、
として機能させるためのプログラムであり、
前記接点のとりうる複数の状態は、クローズを含み、
前記表示処理部は、前記接点の状態の優先度に応じて前記代表アイコンの表示態様を設定する、管理プログラム。
【発明の詳細な説明】
【技術分野】
【０００１】
本発明は、管理装置、管理システム、管理方法および管理プログラムに関する。
この出願は、２０１７年７月２８日に出願された日本出願特願２０１７−１４６５１１号を基礎とする優先権を主張し、その開示のすべてをここに取り込む。
【背景技術】
【０００２】
特開２００６−１６３５１７号公報（特許文献１）には、以下のような異常検知装置が記載されている。すなわち、異常検知装置は、監視対象に設けられた検出手段と、前記検出手段からの検出データに基づいてニューラルネットワークにより前記監視対象の状態を診断する演算手段とを有する異常検知装置であって、前記演算手段は、所定のモデル作成データを用いて前記ニューラルネットワークのモデルを形成し、前記ニューラルネットワークのモデルを用い、検出データに基づいて前記監視対象の状態を診断し、所定時点での検出データによる入力ベクトルを中間層として加えて、前記ニューラルネットワークのモデルを更新し、更新後は、前記ニューラルネットワークの更新したモデルを用いて前記監視対象の状態を診断する。
【先行技術文献】
【特許文献】
【０００３】
【特許文献１】特開２００６−１６３５１７号公報
【発明の概要】
【０００４】
（１）本開示の管理装置は、複数の接点を備える１または複数の無線端末装置から、各前記接点の状態を示す状態情報を取得する取得部と、前記取得部により取得された前記状態情報に基づいて、前記無線端末装置を示す代表アイコンを表示する処理を行う表示処理部とを備え、前記接点のとりうる状態は、クローズ、オープンおよび未接続のいずれかであり、前記表示処理部は、前記接点の状態の優先度に応じて前記代表アイコンの表示態様を設定する。
【０００５】
（１１）本開示の管理システムは、複数の接点を備え、各前記接点の状態を示す状態情報を送信する１または複数の無線端末装置と、前記無線端末装置から送信された前記状態情報を受信し、受信した前記状態情報に基づいて、前記無線端末装置を示す代表アイコンを表示する処理を行う管理装置とを備え、前記接点のとりうる状態は、クローズ、オープンおよび未接続のいずれかであり、前記管理装置は、前記接点の状態の優先度に応じて前記代表アイコンの表示態様を設定する。
【０００６】
（１２）本開示の管理方法は、管理装置における管理方法であって、複数の接点を備える１または複数の無線端末装置から、各前記接点の状態を示す状態情報を取得するステップと、取得した前記状態情報に基づいて、前記無線端末装置を示す代表アイコンを表示する処理を行うステップとを含み、前記接点のとりうる状態は、クローズ、オープンおよび未接続のいずれかであり、前記代表アイコンを表示する処理を行うステップにおいて、前記接点の状態の優先度に応じて前記代表アイコンの表示態様を設定する。
【０００７】
（１３）本開示の管理プログラムは、管理装置において用いられる管理プログラムであって、コンピュータを、複数の接点を備える１または複数の無線端末装置から、各前記接点の状態を示す状態情報を取得する取得部と、前記取得部により取得された前記状態情報に基づいて、前記無線端末装置を示す代表アイコンを表示する処理を行う表示処理部、として機能させるためのプログラムであり、前記接点のとりうる状態は、クローズ、オープンおよび未接続のいずれかであり、前記表示処理部は、前記接点の状態の優先度に応じて前記代表アイコンの表示態様を設定する。
【０００８】
本開示の一態様は、このような特徴的な処理部を備える管理装置として実現され得るだけでなく、管理装置の一部または全部を実現する半導体集積回路として実現され得る。
【０００９】
また、本開示の一態様は、このような特徴的な処理部を備える管理システムとして実現され得るだけでなく、かかる特徴的な処理をステップとする管理方法として実現され得たり、かかるステップをコンピュータに実行させるためのプログラムとして実現され得る。
【図面の簡単な説明】
【００１０】
【図１】図１は、本発明の実施の形態に係る管理システムの構成を示す図である。
【図２】図２は、図１に示す無線端末装置と設備との接続の一例を示す図である。
【図３】図３は、本発明の実施の形態に係る管理装置の構成を示す図である。
【図４】図４は、図３に示す管理装置により表示される管理画面の一例を示す図である。
【図５】図５は、本発明の実施の形態に係る管理装置により制御される警告灯の点灯パターンの一例を示す図である。
【図６】図６は、本発明の実施の形態に係る管理システムの動作の流れの一例を示すシーケンス図である。
【図７】図７は、本発明の実施の形態に係る管理装置により制御される警告灯の点灯パターンの変形例１を示す図である。
【図８】図８は、本発明の実施の形態に係る管理装置により制御される警告灯の点灯パターンの変形例２を示す図である。
【図９】図９は、本発明の実施の形態に係る管理装置により制御される警告灯の点灯パターンの変形例３を示す図である。
【図１０】図１０は、本発明の実施の形態に係る管理装置により制御される警告灯の点灯パターンの変形例４を示す図である。
【発明を実施するための形態】
【００１１】
従来、工場に設けられた設備などを監視するための装置が開発されている。
［本開示が解決しようとする課題］
上述した特許文献１に記載のような装置によれば、人手を介さずに設備において生じた異常の検知を行うことができる。また、検知結果を画面に表示することにより、管理者において、設備における異常を視覚的に容易に把握することができる。
【００１２】
しかしながら、監視対象である設備において、ある機能に関しては異常が生じており、他の機能は正常である場合など、複数の状態が生じていることがある。このような場合、たとえば画面の表示領域に制限があると、設備の状況を的確に把握することが困難である。
【００１３】
本開示は、上述の課題を解決するためになされたもので、その目的は、監視対象である設備において複数の状態が生じている場合において、当該設備の状況をより的確に把握することのできる管理装置、管理システム、管理方法および管理プログラムを提供することである。
【００１４】
［本開示の効果］
本開示によれば、監視対象である設備において複数の状態が生じている場合において、当該設備の状況をより的確に把握することができる。
【００１５】
［本願発明の実施形態の説明］
最初に、本発明の実施形態の内容を列記して説明する。
【００１６】
（１）本発明の実施の形態に係る管理装置は、複数の接点を備える１または複数の無線端末装置から、各前記接点の状態を示す状態情報を取得する取得部と、前記取得部により取得された前記状態情報に基づいて、前記無線端末装置を示す代表アイコンを表示する処理を行う表示処理部とを備え、前記接点のとりうる状態は、クローズ、オープンおよび未接続のいずれかであり、前記表示処理部は、前記接点の状態の優先度に応じて前記代表アイコンの表示態様を設定する。
【００１７】
このような構成により、複数の接点の各々の状態が異なる場合であっても、優先度の高い状態に対応する態様で代表アイコンが表示される。
【００１８】
すなわち、設備における複数の状態に対して、複数の接点の状態をそれぞれ対応付けておくことにより、設備における複数の状態のうち、管理者に通知すべき優先度の高い状態に応じた態様で代表アイコンを表示することができる。したがって、監視対象である設備において複数の状態が生じている場合において、当該設備の状況をより的確に把握することができる。
【００１９】
（２）好ましくは、前記各接点に優先度が付与されており、前記表示処理部は、前記接点の状態の優先度および前記接点の優先度に応じて前記代表アイコンの表示態様を設定する。
【００２０】
このような構成により、同一の状態である接点が複数存在している場合であっても、これら複数の接点のうち、優先度の高い接点に対応する態様で代表アイコンが表示される。これにより、たとえば、設備において複数の異なる種類の異常が生じている場合であっても、通知すべき優先度の高い状態を管理者に通知することができる。
【００２１】
（３）好ましくは、前記表示処理部は、前記各接点の状態を示す態様の接点アイコンを、前記代表アイコンとともに表示する処理を行う。
【００２２】
このような構成により、代表アイコンにより示されない情報を接点アイコンにより通知することができるため、設備の詳細な状態を管理者に通知することができる。
【００２３】
（４）好ましくは、前記表示処理部は、前記接点の状態の優先度に応じて前記代表アイコンの色を設定する。
【００２４】
このような構成により、アイコンの表示色を利用して、管理者において設備の状況をより的確に把握することができる。
【００２５】
（５）より好ましくは、前記表示処理部は、前記代表アイコンに対する所定の操作が行われた場合に前記接点アイコンを表示する処理を行う。
【００２６】
このような構成により、たとえば管理者により選択された設備のみに対応する接点アイコンを表示することが可能であるため、画面の表示が煩雑になることを避けることができる。
【００２７】
（６）好ましくは、前記管理装置は、さらに、前記取得部により取得された前記状態情報に基づいて、対応の前記無線端末装置に対応付けられた出力装置の出力内容を制御する出力制御を行う出力制御部を備える。
【００２８】
このような構成により、設備の状態に応じて、代表アイコンの表示、および出力装置からの出力内容の制御の両方を行うことができるため、設備の状況をより確実に把握することができる。
【００２９】
（７）より好ましくは、前記出力装置は、複数の前記無線端末装置に対応付けられており、前記出力制御部は、対応の各前記状態情報に基づいて、前記複数の無線端末装置の各々の前記接点の状態のうち最も優先度の高い状態に応じて前記出力制御を行う。
【００３０】
このような構成により、管理者において出力装置による出力内容を確認することで、複数の設備の各々の状況をまとめて把握することができる。
【００３１】
（８）より好ましくは、前記出力装置は、複数の前記無線端末装置に対応付けられており、前記出力制御部は、対応の各前記無線端末装置に付与された優先度に応じて前記出力制御を行う。
【００３２】
このような構成により、複数の設備において異常が生じている場合であっても、出力装置において、優先度の高い無線端末装置に対応する設備の状態に応じた内容を出力することができる。
【００３３】
（９）より好ましくは、前記出力装置は、複数の前記無線端末装置に対応付けられており、前記出力制御部は、対応の各前記無線端末装置の前記各接点に付与された優先度に応じて前記出力制御を行う。
【００３４】
このような構成により、複数の設備において異常が生じている場合であっても、出力装置において、通知すべき優先度の高い状態である設備の状態に応じた内容を出力することができる。
【００３５】
（１０）より好ましくは、前記出力装置は、複数の前記無線端末装置に対応付けられており、前記出力制御部は、対応の各前記無線端末装置のうち、予め指定された前記無線端末装置の前記状態情報に基づいて前記出力制御を行う。
【００３６】
このような構成により、１つの出力装置に対して複数の無線端末装置が対応付けられている場合であっても、管理者において、指定した無線端末装置に対応する設備の状況をより確実に把握することができる。
【００３７】
（１１）本発明の実施の形態に係る管理システムは、複数の接点を備え、各前記接点の状態を示す状態情報を送信する１または複数の無線端末装置と、前記無線端末装置から送信された前記状態情報を受信し、受信した前記状態情報に基づいて、前記無線端末装置を示す代表アイコンを表示する処理を行う管理装置とを備え、前記接点のとりうる状態は、クローズ、オープンおよび未接続のいずれかであり、前記管理装置は、前記接点の状態の優先度に応じて前記代表アイコンの表示態様を設定する。
【００３８】
このような構成により、複数の接点の各々の状態が異なる場合であっても、優先度の高い状態に対応する態様で代表アイコンが表示される。
【００３９】
すなわち、設備における複数の状態に対して、複数の接点の状態をそれぞれ対応付けておくことにより、設備における複数の状態のうち、管理者に通知すべき優先度の高い状態に応じた態様で代表アイコンを表示することができる。したがって、監視対象である設備において複数の状態が生じている場合において、当該設備の状況をより的確に把握することができる。
【００４０】
（１２）本発明の実施の形態に係る管理方法は、管理装置における管理方法であって、複数の接点を備える１または複数の無線端末装置から、各前記接点の状態を示す状態情報を取得するステップと、取得した前記状態情報に基づいて、前記無線端末装置を示す代表アイコンを表示する処理を行うステップとを含み、前記接点のとりうる状態は、クローズ、オープンおよび未接続のいずれかであり、前記代表アイコンを表示する処理を行うステップにおいて、前記接点の状態の優先度に応じて前記代表アイコンの表示態様を設定する。
【００４１】
このような方法により、複数の接点の各々の状態が異なる場合であっても、優先度の高い状態に対応する態様で代表アイコンが表示される。
【００４２】
すなわち、設備における複数の状態に対して、複数の接点の状態をそれぞれ対応付けておくことにより、設備における複数の状態のうち、管理者に通知すべき優先度の高い状態に応じた態様で代表アイコンを表示することができる。したがって、監視対象である設備において複数の状態が生じている場合において、当該設備の状況をより的確に把握することができる。
【００４３】
（１３）本発明の実施の形態に係る管理プログラムは、管理装置において用いられる管理プログラムであって、コンピュータを、複数の接点を備える１または複数の無線端末装置から、各前記接点の状態を示す状態情報を取得する取得部と、前記取得部により取得された前記状態情報に基づいて、前記無線端末装置を示す代表アイコンを表示する処理を行う表示処理部、として機能させるためのプログラムであり、前記接点のとりうる状態は、クローズ、オープンおよび未接続のいずれかであり、前記表示処理部は、前記接点の状態の優先度に応じて前記代表アイコンの表示態様を設定する。
【００４４】
このような構成により、複数の接点の各々の状態が異なる場合であっても、優先度の高い状態に対応する態様で代表アイコンが表示される。
【００４５】
すなわち、設備における複数の状態に対して、複数の接点の状態をそれぞれ対応付けておくことにより、設備における複数の状態のうち、管理者に通知すべき優先度の高い状態に応じた態様で代表アイコンを表示することができる。したがって、監視対象である設備において複数の状態が生じている場合において、当該設備の状況をより的確に把握することができる。
【００４６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４７】
＜構成および基本動作＞
［全体構成］
図１は、本発明の実施の形態に係る管理システムの構成を示す図である。
【００４８】
図１を参照して、管理システム２０１は、工場などの対象施設に設けられた、管理装置１０１と、複数の無線端末装置１０２と、複数のアクセスポイント１２１と、複数の警告灯１３１とを備える。
【００４９】
複数の無線端末装置１０２は、たとえば電池式で動作する装置であり、複数の設備Ｘにそれぞれ取り付けられている。
【００５０】
設備Ｘは、集塵機などの機器である。複数の設備Ｘは、同一の種類の機器であってもよいし、互いに異なる種類の機器であってもよい。
【００５１】
図２は、図１に示す無線端末装置と設備との接続の一例を示す図である。
【００５２】
図２を参照して、無線端末装置１０２は、複数の接点Ｐと、通信部３１とを含み、複数の接点Ｐのオープンまたはクローズを計測する装置である。また、管理システム２０１は、さらに、複数のスイッチＳＷと、センサ２１と、情報処理部２２と、制御部２３とを備える。複数のスイッチＳＷ、センサ２１、情報処理部２２および制御部２３は、たとえば設備Ｘに取り付けられている。
【００５３】
図２に示す例では、一例として、無線端末装置１０２が４つの接点Ｐ１〜Ｐ４を含み、設備Ｘには４つのスイッチＳＷ１〜ＳＷ４が取り付けられている。接点Ｐ１〜Ｐ４の各々は、端子を２つ有する。また、接点Ｐ１〜Ｐ４は、４つのスイッチＳＷ１〜ＳＷ４とそれぞれ接続されている。
【００５４】
センサ２１は、たとえば、設備Ｘの温度もしくは湿度、または設備Ｘに流れる電流値などを計測し、計測結果を情報処理部２２へ出力する。情報処理部２２は、センサ２１から受けた計測結果に基づいて、設備Ｘに生じた異常を検知し、検知結果を制御部２３へ出力する。
【００５５】
制御部２３は、情報処理部２２から受けた検知結果に基づいて、４つのスイッチＳＷ１〜ＳＷ４を制御する。ここでは、４つのスイッチＳＷ１〜ＳＷ４は、通常時、すなわち設備Ｘに異常が生じていない状態においてオープンの状態であるとする。
【００５６】
たとえば、制御部２３は、設備Ｘに重大な異常が生じている旨の検知結果を示す信号（以下、「警報信号」と称する。）を情報処理部２２から受けた場合、スイッチＳＷ１を制御して接点Ｐ１をオープンの状態からクローズの状態へ切り替える。
【００５７】
また、たとえば、制御部２３は、設備Ｘに比較的低いレベルの異常が生じている旨の検知結果を示す信号（以下、「異常信号」と称する。）を情報処理部２２から受けた場合、スイッチＳＷ２を制御して接点Ｐ２がオープンの状態からクローズの状態へ切り替える。
【００５８】
また、たとえば、制御部２３は、設備Ｘに対して清掃などの作業が必要である旨の検知結果を示す信号（以下、「作業要求信号」と称する。）を情報処理部２２から受けた場合、スイッチＳＷ３を制御して接点Ｐ３がオープンの状態からクローズの状態へ切り替える。
【００５９】
また、たとえば、制御部２３は、設備Ｘが稼働していない旨の検知結果を示す信号（以下、「稼働停止信号」と称する。）を情報処理部２２から受けた場合、スイッチＳＷ４を制御して接点Ｐ４がオープンの状態からクローズの状態へ切り替える。
【００６０】
無線端末装置１０２における通信部３１は、各接点Ｐ１〜Ｐ４の状態を示す状態情報を、図１に示すアクセスポイント１２１経由で管理装置１０１へ送信する。このように、無線端末装置１０２が状態情報を無線通信により管理装置１０１へ送信する構成により、有線通信を行う場合と比較して、無線端末装置１０２の設置自由度の向上、および無線端末装置１０２を設置するためのコストの削減を実現することができる。
【００６１】
管理装置１０１は、対象施設における管理室などに設けられ、複数の無線端末装置１０２からそれぞれ送信された複数の状態情報を受信し、これら複数の状態情報に基づく内容を自己のモニタ等に表示する処理を行う。
【００６２】
なお、図１に示す例では、３つの無線端末装置１０２にそれぞれ対応する３つのアクセスポイント１２１が設けられているが、複数の無線端末装置１０２に対して１つのアクセスポイント１２１が設けられてもよい。
【００６３】
［管理装置］
図３は、本発明の実施の形態に係る管理装置の構成を示す図である。
【００６４】
図３を参照して、管理装置１０１は、取得部１１と、表示処理部１２と、出力制御部１３とを含む。
【００６５】
取得部１１は、複数の無線端末装置１０２からそれぞれ送信された複数の状態情報を受信し、受信した複数の状態情報を、表示処理部１２および出力制御部１３へ出力する。
【００６６】
表示処理部１２は、取得部１１から受けた複数の状態情報に基づいて、無線端末装置１０２ごとの、位置および接点Ｐ１〜Ｐ４の状態に関する内容を示す管理画面Ｓｃを、自己のモニタ等に表示する処理を行う。管理画面Ｓｃには、たとえば、対象施設のマップが含まれ、当該マップにおける対応の位置に複数の無線端末装置１０２をそれぞれ示す複数の代表アイコンＩｃＡが表示される。
【００６７】
（代表アイコンの表示）
図４は、図３に示す管理装置により表示される管理画面の一例を示す図である。
【００６８】
図２〜図４を参照して、表示処理部１２は、無線端末装置１０２ごとに、接点Ｐの状態の優先度に応じて、対応する代表アイコンＩｃＡの色を設定する。より詳細には、接点Ｐのとりうる状態は、クローズ、オープン、および設備Ｘにおける回路との未接続のいずれかであり、クローズ、オープン、未接続の順で高い優先度が付与されている。
【００６９】
表示処理部１２は、無線端末装置１０２における接点Ｐ１〜Ｐ４のうちの少なくともいずれか１つがクローズの状態である場合、クローズに対応する色、たとえば赤色、黄色、緑色または青色で当該無線端末装置１０２に対応する代表アイコンＩｃＡを表示する処理を行う。
【００７０】
図４では、赤色で表示されている代表アイコンＩｃＡには、左斜めに上がる斜線のハッチングを付している。また、黄色で表示されている代表アイコンＩｃＡには、右斜めに上がる斜線のハッチングを付している。また、緑色で表示されている代表アイコンＩｃＡには、格子状のハッチングを付している。また、青色で表示されている代表アイコンＩｃＡには、左斜めに上がる斜線と右斜めに上がる斜線とが交差したハッチングを付している。
【００７１】
また、表示処理部１２は、無線端末装置１０２における接点Ｐ１〜Ｐ４のうち、クローズの状態である接点Ｐがなく、かつ少なくともいずれか１つがオープンの状態である場合、オープンに対応する色、たとえば白色で当該無線端末装置１０２に対応する代表アイコンＩｃＡを表示する処理を行う。
【００７２】
また、表示処理部１２は、無線端末装置１０２における接点Ｐ１〜Ｐ４のいずれもが未接続の状態である場合、未接続に対応する色、たとえば灰色で当該無線端末装置１０２に対応する代表アイコンＩｃＡを表示する処理を行う。
【００７３】
また、表示処理部１２は、クローズに対応する色で代表アイコンＩｃＡを表示する場合、接点Ｐの優先度に応じて代表アイコンＩｃＡの色を設定する。より詳細には、接点Ｐ１〜Ｐ４には、たとえば、接点Ｐ１、接点Ｐ２、接点Ｐ３、接点Ｐ４の順で高い優先度が付与されている。
【００７４】
表示処理部１２は、たとえば、接点Ｐ１の状態がクローズである場合、代表アイコンＩｃＡの色を赤色に設定する。また、表示処理部１２は、たとえば、接点Ｐ１の状態がオープンまたは未接続であり、かつ接点Ｐ２の状態がクローズである場合、代表アイコンＩｃＡの色を黄色に設定する。
【００７５】
また、表示処理部１２は、たとえば、接点Ｐ１の状態および接点Ｐ２の状態がいずれもオープンまたは未接続であり、かつ接点Ｐ３の状態がクローズである場合、代表アイコンＩｃＡの色を緑色に設定する。また、表示処理部１２は、たとえば、接点Ｐ１の状態、接点Ｐ２の状態および接点Ｐ３の状態がいずれもオープンまたは未接続であり、かつ接点Ｐ４の状態がクローズである場合、代表アイコンＩｃＡの色を青色に設定する。
【００７６】
そして、表示処理部１２は、図４に示すように、複数の無線端末装置１０２にそれぞれ対応する複数の代表アイコンＩｃＡを、設定した色で表示する処理を行う。
【００７７】
なお、接点Ｐの状態の優先度は、クローズ、オープン、未接続の順に限らず、管理者により任意に設定可能である。また、接点Ｐの優先度は、接点Ｐ１、接点Ｐ２、接点Ｐ３、接点Ｐ４の順に限らず、管理者により任意に設定可能である。
【００７８】
また、接点Ｐ１〜Ｐ４に対応する色は、それぞれ、赤色、黄色、緑色、青色に限らず、他の色であってもよい。また、接点Ｐ１〜Ｐ４のうちの少なくともいずれか２つに対して同じ色が対応付けられてもよい。
【００７９】
すなわち、表示処理部１２は、無線端末装置１０２における接点Ｐ１〜Ｐ４のうちの少なくともいずれか１つがクローズの状態である場合、所定の色で代表アイコンＩｃＡを表示する処理を行う構成であってもよい。各接点Ｐに対応する色は、管理者により任意に設定可能である。
【００８０】
（接点アイコンの表示）
また、表示処理部１２は、管理者が管理装置１０１を操作することにより代表アイコンＩｃＡに対して所定の操作を行うと、当該代表アイコンＩｃＡに対応する無線端末装置１０２の各接点Ｐ１〜Ｐ４の状態を示す接点アイコンＩｃＢを、当該代表アイコンＩｃＡとともに表示する処理を行う。
【００８１】
具体的には、管理者が、図４に示すように、管理画面Ｓｃに含まれる複数の代表アイコンＩｃＡのうちのいずれか１つにカーソルＣｕを合わせたとする。
【００８２】
この場合、取得部１１は、管理者による操作を受け付け、操作の内容を示す操作情報を表示処理部１２へ出力する。表示処理部１２は、取得部１１から操作情報を受けると、当該操作情報に基づいて、管理者により選択された代表アイコンＩｃＡを認識する。そして、表示処理部１２は、当該代表アイコンＩｃＡに対応する接点アイコンＩｃＢを表示する処理を行う。
【００８３】
接点アイコンＩｃＢは、たとえば４つのアイコンＢ１〜Ｂ４を含む。これら４つのアイコンＢ１〜Ｂ４は、無線端末装置１０２における４つの接点Ｐ１〜Ｐ４にそれぞれ対応する。４つのアイコンＢ１〜Ｂ４は、それぞれ、対応する接点Ｐ１〜Ｐ４の状態に応じた色が付される。
【００８４】
表示処理部１２は、無線端末装置１０２から取得部１１経由で受信した状態情報に基づいて、たとえば、当該無線端末装置１０２における接点Ｐ１が未接続の状態である場合にはアイコンＢ１の色を灰色に設定し、当該接点Ｐ１がオープンの状態である場合にはアイコンＢ１の色を白色に設定し、当該接点Ｐ１がクローズの状態である場合にはアイコンＢ１の色を赤色に設定する。
【００８５】
また、表示処理部１２は、当該状態情報に基づいて、たとえば、当該無線端末装置１０２における接点Ｐ２が未接続の状態である場合にはアイコンＢ２の色を灰色に設定し、当該接点Ｐ２がオープンの状態である場合にはアイコンＢ２の色を白色に設定し、当該接点Ｐ２がクローズの状態である場合にはアイコンＢ２の色を黄色に設定する。
【００８６】
また、表示処理部１２は、当該状態情報に基づいて、たとえば、当該無線端末装置１０２における接点Ｐ３が未接続の状態である場合にはアイコンＢ３の色を灰色に設定し、当該接点Ｐ３がオープンの状態である場合にはアイコンＢ３の色を白色に設定し、当該接点Ｐ３がクローズの状態である場合にはアイコンＢ３の色を緑色に設定する。
【００８７】
また、表示処理部１２は、当該状態情報に基づいて、たとえば、当該無線端末装置１０２における接点Ｐ４が未接続の状態である場合にはアイコンＢ４の色を灰色に設定し、当該接点Ｐ４がオープンの状態である場合にはアイコンＢ４の色を白色に設定し、当該接点Ｐ４がクローズの状態である場合にはアイコンＢ４の色を青色に設定する。
【００８８】
そして、表示処理部１２は、アイコンＢ１〜Ｂ４をそれぞれ設定した色で表示する処理を行う。これにより、管理者は、画面に表示されたアイコンＢ１〜Ｂ４の色を確認することにより、対応する接点Ｐ１〜Ｐ４の状態を把握することができる。
【００８９】
また、表示処理部１２は、たとえば、接点アイコンＩｃＢとともに、当該無線端末装置１０２の識別情報、または当該無線端末装置１０２に対応する設備Ｘの名称などを表示する処理を行う。
【００９０】
なお、表示処理部１２は、自己の管理装置１０１とは別の表示装置において管理画面Ｓｃを表示する処理を行う構成であってもよい。
【００９１】
また、図４に示す例では、表示処理部１２は、複数の代表アイコンＩｃＡと同じ画面に接点アイコンＩｃＢを表示する処理を行うが、このような構成に限らず、接点アイコンＩｃＢを複数の代表アイコンＩｃＡと別の画面に表示する処理を行ってもよい。
【００９２】
また、表示処理部１２は、所定の操作が行われた代表アイコンＩｃＡに限らず、たとえば、管理画面Ｓｃに含まれる全ての代表アイコンＩｃＡにそれぞれ対応する複数の接点アイコンＩｃＢを表示する処理を行う構成であってもよい。
【００９３】
（警告灯の点灯）
再び図１および図３を参照して、管理装置１０１における出力制御部１３は、無線端末装置１０２から取得部１１経由で受信した状態情報に基づいて、当該無線端末装置１０２に対応付けられた出力装置の出力内容を制御する出力制御を行う。出力装置は、たとえば警告灯１３１である。出力制御部１３は、出力制御の一例として、警告灯１３１の点灯の制御を行う。
【００９４】
ここでは、図１に示すように、複数の警告灯１３１が、複数の無線端末装置１０２にそれぞれ対応付けられているとする。
【００９５】
図５は、本発明の実施の形態に係る管理装置により制御される警告灯の点灯パターンの一例を示す図である。ここでは、警告灯１３１は、赤色のライト、黄色のライト、緑色のライト、および青色のライトを有するとする。
【００９６】
また、ここでは、各無線端末装置１０２における接点Ｐ１〜Ｐ４は、いずれも対応する設備ＸにおけるスイッチＳＷ１〜ＳＷ４にそれぞれ接続されているとする。すなわち、接点Ｐ１〜Ｐ４の各々の状態は、クローズまたはオープンであるとする。
【００９７】
（ａ）パターン１
図５を参照して、たとえば、パターン１のように、ある設備Ｘに取り付けられた情報処理部２２が、警報信号、異常信号、作業要求信号および稼働停止信号を出力したとする。この場合、当該設備Ｘに対応する接点アイコンＩｃＢに含まれるアイコンＢ１〜Ｂ４の色は、それぞれ、赤色、黄色、緑色、青色に設定される。また、当該設備Ｘに対応する代表アイコンＩｃＡの色は、最も優先度の高い接点Ｐ１に対応するアイコンＢ１の色、すなわち赤色に設定される。
【００９８】
また、この場合、出力制御部１３は、赤色、黄色、緑色および青色の４つのライトを点灯させることを指示する点灯命令を、当該設備Ｘに対応する警告灯１３１へ送信する。そして、警告灯１３１は、出力制御部１３から受信した点灯命令に基づいて、赤色、黄色、緑色および青色の４つのライトを点灯させる。
【００９９】
（ｂ）パターン２
また、たとえば、パターン２のように、ある設備Ｘに取り付けられた情報処理部２２が、異常信号、作業要求信号および稼働停止信号を出力したとする。この場合、当該設備Ｘに対応する接点アイコンＩｃＢに含まれるアイコンＢ１〜Ｂ４の色は、それぞれ、白色、黄色、緑色、青色に設定される。また、当該設備Ｘに対応する代表アイコンＩｃＡの色は、クローズの状態である接点Ｐ２〜Ｐ４のうちの最も優先度の高い接点Ｐ２に対応するアイコンＢ２の色、すなわち黄色に設定される。
【０１００】
また、この場合、出力制御部１３は、黄色、緑色および青色の３つのライトを点灯させることを指示する点灯命令を警告灯１３１へ送信する。そして、警告灯１３１は、出力制御部１３から受信した点灯命令に基づいて、黄色、緑色および青色の３つのライトを点灯させる。
【０１０１】
（ｃ）パターン３
また、たとえば、パターン３のように、ある設備Ｘに取り付けられた情報処理部２２が、作業要求信号および稼働停止信号を出力したとする。この場合、当該設備Ｘに対応する接点アイコンＩｃＢに含まれるアイコンＢ１〜Ｂ４の色は、それぞれ、白色、白色、緑色、青色に設定される。また、当該設備Ｘに対応する代表アイコンＩｃＡの色は、クローズの状態である接点Ｐ３および接点Ｐ４の優先度の高い方である接点Ｐ３に対応するアイコンＢ３の色、すなわち緑色に設定される。
【０１０２】
また、この場合、出力制御部１３は、緑色および青色の２つのライトを点灯させることを指示する点灯命令を、当該設備Ｘに対応する警告灯１３１へ送信する。そして、警告灯１３１は、出力制御部１３から受信した点灯命令に基づいて、緑色および青色の２つのライトを点灯させる。
【０１０３】
（ｄ）パターン４
また、たとえば、パターン４のように、ある設備Ｘに取り付けられた情報処理部２２が、稼働停止信号を出力したとする。この場合、当該設備Ｘに対応する接点アイコンＩｃＢに含まれるアイコンＢ１〜Ｂ４の色は、それぞれ、白色、白色、白色、青色に設定される。また、当該設備Ｘに対応する代表アイコンＩｃＡの色は、クローズの状態である接点Ｐ４に対応するアイコンＢ４の色、すなわち青色に設定される。
【０１０４】
また、この場合、出力制御部１３は、青色のライトを点灯させることを指示する点灯命令を警告灯１３１へ送信する。そして、警告灯１３１は、出力制御部１３から受信した点灯命令に基づいて、青色のライトを点灯させる。
【０１０５】
（ｅ）パターン５
また、たとえば、パターン５のように、ある設備Ｘに取り付けられた情報処理部２２が、警報信号、異常信号、作業要求信号および稼働停止信号のいずれも出力しなかったとする。すなわち、設備Ｘが正常に稼働しているとする。この場合、当該設備Ｘに対応する接点アイコンＩｃＢに含まれるアイコンＢ１〜Ｂ４の色は、いずれも白色に設定される。また、当該設備Ｘに対応する代表アイコンＩｃＡの色は、白色に設定される。
【０１０６】
また、この場合、出力制御部１３は、警告灯１３１への点灯命令の送信を行わない。このため、警告灯１３１におけるライトは消灯された状態となる。
【０１０７】
なお、出力制御部１３は、出力制御として、警告灯１３１の点灯を制御する代わりに、たとえば、状態情報に基づいて、対象施設における複数の設備Ｘの各々の状態を色によって表示する電光掲示板の表示内容を設定する構成などであってもよい。
【０１０８】
また、管理装置１０１は、上記のような構成に限らず、代表アイコンＩｃＡを表示する処理を行う構成であればよい。たとえば、管理装置１０１は、接点アイコンＩｃＢを表示する処理を行わない構成であってもよい。また、管理装置１０１は、出力装置の出力内容を制御する出力制御を行わない構成であってもよい。
【０１０９】
＜動作の流れ＞
管理システム２０１における各装置は、コンピュータを備え、当該コンピュータにおけるＣＰＵ等の演算処理部は、以下のシーケンス図の各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１１０】
図６は、本発明の実施の形態に係る管理システムの動作の流れの一例を示すシーケンス図である。ここでは、接点Ｐ１〜Ｐ４の各々の状態は、クローズまたはオープンであるとする。
【０１１１】
図６を参照して、まず、情報処理部２２は、センサ２１による計測結果に基づいて、設備Ｘに生じた異常を検知する。そして、情報処理部２２は、検知結果を制御部２３へ出力する（ステップＳ１１）。
【０１１２】
次に、制御部２３は、情報処理部２２から受けた検知結果に基づいてスイッチＳＷ１〜ＳＷ４を制御することにより、無線端末装置１０２における接点Ｐ１〜Ｐ４の状態をオープンまたはクローズに設定する（ステップＳ１２）。
【０１１３】
次に、無線端末装置１０２における通信部３１は、接点Ｐ１〜Ｐ４の各々の状態を示す状態情報を管理装置１０１へ送信する（ステップＳ１３）。
【０１１４】
次に、管理装置１０１は、無線端末装置１０２から送信された状態情報を受信し、受信した状態情報に基づいて、当該無線端末装置１０２に対応する代表アイコンＩｃＡの色を設定する。
【０１１５】
また、管理装置１０１は、当該状態情報に基づいて、当該無線端末装置１０２に対応する警告灯１３１の制御内容を決定する。すなわち、管理装置１０１は、警告灯１３１を点灯させるか否かを決定し、警告灯１３１を点灯させると決定した場合には点灯させる色を設定する（ステップＳ１４）。
【０１１６】
次に、管理装置１０１は、警告灯１３１を点灯させることを決定した場合、設定した色のライトを点灯させる旨の点灯命令を当該警告灯１３１へ送信する（ステップＳ１５）。そして、警告灯１３１は、管理装置１０１から送信された点灯命令を受信すると、受信した点灯命令に基づいて、自己のライトを点灯させる。
【０１１７】
なお、管理装置１０１は、警告灯１３１を点灯させないことを決定した場合、当該警告灯１３１への点灯命令の送信を行わない。
【０１１８】
次に、管理装置１０１は、設定した色で代表アイコンＩｃＡを含む管理画面Ｓｃを表示する処理を行う（ステップＳ１６）。なお、管理装置１０１は、点灯命令の送信（ステップＳ１５）よりも前に管理画面Ｓｃの表示処理を行ってもよい。
【０１１９】
次に、管理者が、管理画面Ｓｃにおける１または複数の代表アイコンＩｃＡのうちのいずれか１つを選択し、管理装置１０１を操作することにより、選択した代表アイコンＩｃＡにカーソルＣｕを合わせたとする。
【０１２０】
この場合、管理装置１０１は、管理者により選択された代表アイコンＩｃＡに対応する無線端末装置１０２からの状態情報に基づいて、当該無線端末装置１０２に対応する接点アイコンＩｃＢの色、すなわち接点アイコンＩｃＢに含まれるアイコンＢ１〜Ｂ４の色を設定する（ステップＳ１７）。そして、管理装置１０１は、設定した色で接点アイコンＩｃＢを表示する処理を行う（ステップＳ１８）。
【０１２１】
＜点灯パターンの変形例１＞
図１に示す例では、複数の無線端末装置１０２に対して、複数の警告灯１３１がそれぞれ設けられている。しかしながら、このような構成に限らず、複数の無線端末装置１０２に対して１つの警告灯１３１が設けられてもよい。このような場合、設置する警告灯１３１の数を少なくすることができるため、コストを抑えることができる。
【０１２２】
また、この場合、管理装置１０１は、複数の無線端末装置１０２からそれぞれ送信された複数の状態情報を受信し、これら複数の状態情報に基づいて１つの警告灯１３１の点灯を制御する。たとえば、管理装置１０１は、複数の状態情報をマージした内容に基づいて、警告灯１３１の点灯を制御する。
【０１２３】
より詳細には、管理装置１０１における出力制御部１３は、対応の各状態情報に基づいて、複数の無線端末装置１０２の各々の接点Ｐの状態のうち最も優先度の高い状態、すなわちクローズ状態に応じて、出力制御を行う。
【０１２４】
たとえば、警告灯１３１における複数のライトは、無線端末装置１０２における複数の接点Ｐにそれぞれ対応する。管理装置１０１は、対応の各状態情報に基づいて、警告灯１３１におけるライトごとに、複数の無線端末装置１０２の各々の対応する接点Ｐの状態を確認し、確認した状態のうち最も優先度の高い状態に基づいて点灯を制御する。
【０１２５】
具体的には、警告灯１３１において、赤色のライトが無線端末装置１０２の接点Ｐ１に対応しており、黄色のライトが無線端末装置１０２の接点Ｐ２に対応しており、緑色のライトが無線端末装置１０２の接点Ｐ３に対応しており、青色のライトが無線端末装置１０２の接点Ｐ４に対応しているとする。
【０１２６】
この場合、管理装置１０１は、複数の無線端末装置１０２のうち、接点Ｐ１がクローズの状態である無線端末装置１０２が少なくとも１つある場合、警告灯１３１の赤色のライトを点灯させる。また、管理装置１０１は、複数の無線端末装置１０２のうち、接点Ｐ２がクローズの状態である無線端末装置１０２が少なくとも１つある場合、警告灯１３１の黄色のライトを点灯させる。
【０１２７】
また、管理装置１０１は、複数の無線端末装置１０２のうち、接点Ｐ３がクローズの状態である無線端末装置１０２が少なくとも１つある場合、警告灯１３１の緑色のライトを点灯させる。また、管理装置１０１は、複数の無線端末装置１０２のうち、接点Ｐ４がクローズの状態である無線端末装置１０２が少なくとも１つある場合、警告灯１３１の青色のライトを点灯させる。以下、警告灯１３１の点灯パターンの具体例について説明する。
【０１２８】
図７は、本発明の実施の形態に係る管理装置により制御される警告灯の点灯パターンの変形例１を示す図である。ここでは、２つの無線端末装置１０２Ａ，１０２Ｂに対して１つの警告灯１３１が対応付けられているとする。
【０１２９】
（ａ）パターン１
図７を参照して、たとえば、パターン１のように、無線端末装置１０２Ａに対応する設備Ｘに取り付けられた情報処理部２２が、警報信号および異常信号を出力したとする。この場合、無線端末装置１０２Ａに対応する接点アイコンＩｃＢに含まれるアイコンＢ１〜Ｂ４の色は、それぞれ、赤色、黄色、白色、白色に設定される。
【０１３０】
また、無線端末装置１０２Ｂに対応する設備Ｘに取り付けられた情報処理部２２が、稼働停止信号を出力したとする。この場合、無線端末装置１０２Ｂに対応する接点アイコンＩｃＢに含まれるアイコンＢ１〜Ｂ４の色は、それぞれ、白色、白色、白色、青色に設定される。
【０１３１】
この場合、出力制御部１３は、無線端末装置１０２Ａに対応する接点アイコンＩｃＢの色、および無線端末装置１０２Ｂに対応する接点アイコンＩｃＢをマージして、赤色、黄色および青色の３つのライトを点灯させることを指示する点灯命令を警告灯１３１へ送信する。そして、警告灯１３１は、出力制御部１３から受信した点灯命令に基づいて、赤色、黄色および青色の３つのライトを点灯させる。
【０１３２】
（ｂ）パターン２
また、たとえば、パターン２のように、無線端末装置１０２Ａに対応する設備Ｘに取り付けられた情報処理部２２が、異常信号、作業要求信号および稼働停止信号を出力したとする。この場合、無線端末装置１０２Ａに対応する接点アイコンＩｃＢに含まれるアイコンＢ１〜Ｂ４の色は、それぞれ、白色、黄色、緑色、青色に設定される。
【０１３３】
また、無線端末装置１０２Ｂに対応する設備Ｘに取り付けられた情報処理部２２が、作業要求信号および稼働停止信号を出力したとする。この場合、無線端末装置１０２Ｂに対応する接点アイコンＩｃＢに含まれるアイコンＢ１〜Ｂ４の色は、それぞれ、白色、白色、緑色、青色に設定される。
【０１３４】
この場合、出力制御部１３は、無線端末装置１０２Ａに対応する接点アイコンＩｃＢの色、および無線端末装置１０２Ｂに対応する接点アイコンＩｃＢをマージして、黄色、緑色および青色の３つのライトを点灯させることを指示する点灯命令を警告灯１３１へ送信する。そして、警告灯１３１は、出力制御部１３から受信した点灯命令に基づいて、黄色、緑色および青色の３つのライトを点灯させる。
【０１３５】
（ｃ）パターン３
また、たとえば、パターン３のように、無線端末装置１０２Ａに対応する設備Ｘに取り付けられた情報処理部２２が、稼働停止信号を出力したとする。この場合、無線端末装置１０２Ａに対応する接点アイコンＩｃＢに含まれるアイコンＢ１〜Ｂ４の色は、それぞれ、白色、白色、白色、青色に設定される。
【０１３６】
また、無線端末装置１０２Ｂに対応する設備Ｘが正常に稼働しているとする。この場合、無線端末装置１０２Ｂに対応する接点アイコンＩｃＢに含まれるアイコンＢ１〜Ｂ４の色は、いずれも白色に設定される。
【０１３７】
この場合、出力制御部１３は、無線端末装置１０２Ａに対応する接点アイコンＩｃＢの色、および無線端末装置１０２Ｂに対応する接点アイコンＩｃＢをマージして、青色のライトを点灯させることを指示する点灯命令を警告灯１３１へ送信する。そして、警告灯１３１は、出力制御部１３から受信した点灯命令に基づいて、青色のライトを点灯させる。
【０１３８】
（ｄ）パターン４
また、たとえば、パターン４のように、無線端末装置１０２Ａに対応する設備Ｘが正常に稼働しているとする。この場合、無線端末装置１０２Ａに対応する接点アイコンＩｃＢに含まれるアイコンＢ１〜Ｂ４の色は、いずれも白色に設定される。
【０１３９】
また、無線端末装置１０２Ｂに対応する設備Ｘに取り付けられた情報処理部２２が、警報信号および異常信号を出力したとする。この場合、無線端末装置１０２Ｂに対応する接点アイコンＩｃＢに含まれるアイコンＢ１〜Ｂ４の色は、それぞれ、赤色、黄色、白色、白色に設定される。
【０１４０】
この場合、出力制御部１３は、無線端末装置１０２Ａに対応する接点アイコンＩｃＢの色、および無線端末装置１０２Ｂに対応する接点アイコンＩｃＢをマージして、赤色および黄色の２つのライトを点灯させることを指示する点灯命令を警告灯１３１へ送信する。そして、警告灯１３１は、出力制御部１３から受信した点灯命令に基づいて、赤色および黄色の２つのライトを点灯させる。
【０１４１】
（ｅ）パターン５
また、たとえば、パターン５のように、無線端末装置１０２Ａに対応する設備Ｘが正常に稼働しているとする。この場合、無線端末装置１０２Ａに対応する接点アイコンＩｃＢに含まれるアイコンＢ１〜Ｂ４の色は、いずれも白色に設定される。
【０１４２】
また、無線端末装置１０２Ｂに対応する設備Ｘが正常に稼働しているとする。この場合、無線端末装置１０２Ｂに対応する接点アイコンＩｃＢに含まれるアイコンＢ１〜Ｂ４の色は、いずれも白色に設定される。
【０１４３】
この場合、出力制御部１３は、警告灯１３１への点灯命令の送信を行わないことを決定する。これにより、警告灯１３１におけるライトは消灯された状態となる。
【０１４４】
なお、図７では、２つの無線端末装置１０２に対して１つの警告灯１３１が対応付けられているが、３つ以上の無線端末装置１０２に対して１つの警告灯１３１が対応付けられてもよい。
【０１４５】
＜点灯パターンの変形例２＞
上述した変形例１に係る管理装置１０１は、複数の状態情報をマージした内容に基づいて警告灯１３１の点灯を制御する。これに対して、変形例２に係る管理装置１０１は、各無線端末装置１０２に付与された優先度に応じて警告灯１３１の点灯を制御する。
【０１４６】
図８は、本発明の実施の形態に係る管理装置により制御される警告灯の点灯パターンの変形例２を示す図である。
【０１４７】
図８を参照して、ここでは、３つの無線端末装置１０２Ａ，１０２Ｂ，１０２Ｃに対して１つの警告灯１３１Ａが対応付けられ、２つの無線端末装置１０２Ｄ，１０２Ｅに対して１つの警告灯１３１Ｂが対応付けられているとする。
【０１４８】
また、３つの無線端末装置１０２Ａ，１０２Ｂ，１０２Ｃには、無線端末装置１０２Ａ、無線端末装置１０２Ｂ、無線端末装置１０２Ｃの順で高い優先度が付与されているとする。また、２つの無線端末装置１０２Ｄ，１０２Ｅには、無線端末装置１０２Ｅ、無線端末装置１０２Ｄの順で高い優先度が付与されているとする。各無線端末装置１０２の優先度は、管理者により任意に設定可能である。
【０１４９】
（ａ）パターン１
管理装置１０１における出力制御部１３は、たとえば、３つの無線端末装置１０２Ａ，１０２Ｂ，１０２Ｃのうちの最も優先度の高い無線端末装置１０２Ａに対応する接点アイコンＩｃＢの色に基づいて、警告灯１３１Ａの点灯色を決定する。
【０１５０】
たとえば、パターン１のように、無線端末装置１０２Ａに対応する設備Ｘに取り付けられた情報処理部２２が、警報信号および異常信号を出力したとする。この場合、無線端末装置１０２Ａに対応する接点アイコンＩｃＢに含まれるアイコンＢ１〜Ｂ４の色は、それぞれ、赤色、黄色、白色、白色に設定される。
【０１５１】
この場合、出力制御部１３は、無線端末装置１０２Ａに対応する接点アイコンＩｃＢの色、すなわち赤色および黄色の２つのライトを点灯させることを指示する点灯命令を警告灯１３１Ａへ送信する。そして、警告灯１３１Ａは、出力制御部１３から受信した点灯命令に基づいて、赤色および黄色の２つのライトを点灯させる。
【０１５２】
（ｂ）パターン２
また、出力制御部１３は、無線端末装置１０２Ｄおよび無線端末装置１０２Ｅのうちの優先度の高い方である無線端末装置１０２Ｅが正常に稼働している場合には、無線端末装置１０２Ｄに対応する接点アイコンＩｃＢの色に基づいて、警告灯１３１Ｂの点灯色を決定する。
【０１５３】
たとえば、パターン２のように、無線端末装置１０２Ｄに対応する設備Ｘに取り付けられた情報処理部２２が、作業要求信号および稼働停止信号を出力したとする。この場合、無線端末装置１０２Ｄに対応する接点アイコンＩｃＢに含まれるアイコンＢ１〜Ｂ４の色は、それぞれ、白色、白色、緑色、青色に設定される。
【０１５４】
この場合、出力制御部１３は、無線端末装置１０２Ｄに対応する接点アイコンＩｃＢの色、すなわち緑色および青色の２つのライトを点灯させることを指示する点灯命令を警告灯１３１Ｂへ送信する。そして、警告灯１３１Ｂは、出力制御部１３から受信した点灯命令に基づいて、緑色および青色の２つのライトを点灯させる。
【０１５５】
（ｃ）パターン３
また、たとえば、パターン３のように、無線端末装置１０２Ａに対応する設備Ｘに取り付けられた情報処理部２２が、稼働停止信号を出力したとする。この場合、無線端末装置１０２Ａに対応する接点アイコンＩｃＢに含まれるアイコンＢ１〜Ｂ４の色は、それぞれ、白色、白色、白色、青色に設定される。
【０１５６】
この場合、出力制御部１３は、無線端末装置１０２Ａ，１０２Ｂ，１０２Ｃのうちの最も優先度の高い無線端末装置１０２Ａに対応する接点アイコンＩｃＢの色、すなわち青色のライトを点灯させることを指示する点灯命令を警告灯１３１Ａへ送信する。そして、警告灯１３１Ａは、出力制御部１３から受信した点灯命令に基づいて、青色のライトを点灯させる。
【０１５７】
（ｄ）パターン４
たとえば、パターン４のように、無線端末装置１０２Ｅに対応する設備Ｘに取り付けられた情報処理部２２が、異常信号、作業要求信号および稼働停止信号を出力したとする。この場合、無線端末装置１０２Ｅに対応する接点アイコンＩｃＢに含まれるアイコンＢ１〜Ｂ４の色は、それぞれ、白色、黄色、緑色、青色に設定される。
【０１５８】
この場合、出力制御部１３は、無線端末装置１０２Ｄ，１０２Ｅのうちの優先度の高い方である無線端末装置１０２Ｅに対応する接点アイコンＩｃＢの色、すなわち黄色、緑色および青色の３つのライトを点灯させることを指示する点灯命令を警告灯１３１Ｂへ送信する。そして、警告灯１３１Ｂは、出力制御部１３から受信した点灯命令に基づいて、黄色、緑色および青色の３つのライトを点灯させる。
【０１５９】
＜点灯パターンの変形例３＞
変形例３に係る管理装置１０１は、各無線端末装置１０２における各接点Ｐに付与された優先度に応じて警告灯１３１の点灯を制御する。
【０１６０】
図９は、本発明の実施の形態に係る管理装置により制御される警告灯の点灯パターンの変形例３を示す図である。
【０１６１】
図９を参照して、ここでは、５つの無線端末装置１０２Ａ〜１０２Ｅに対して１つの警告灯１３１が対応付けられているとする。
【０１６２】
また、無線端末装置１０２Ａ〜１０２Ｅの各々は接点Ｐ１〜Ｐ４を含み、これら接点Ｐ１〜Ｐ４は、接点Ｐ１、接点Ｐ２、接点Ｐ３、接点Ｐ４の順で優先度が付与されているとする。各接点Ｐの優先度は、管理者により任意に設定可能である。
【０１６３】
（ａ）パターン１
管理装置１０１における出力制御部１３は、接点Ｐ１〜Ｐ４のうちの最も優先度の高い接点Ｐ１がクローズの状態である無線端末装置１０２が存在するか否かを確認する。そして、管理装置１０１は、接点Ｐ１がクローズの状態である無線端末装置１０２が存在する場合、当該無線端末装置１０２に対応する接点アイコンＩｃＢの色に基づいて、警告灯１３１Ａの点灯色を決定する。
【０１６４】
図９に示すパターン１では、無線端末装置１０２Ａは、接点Ｐ１および接点Ｐ２がクローズの状態であり、接点Ｐ３および接点Ｐ４がオープンの状態である。
【０１６５】
この場合、出力制御部１３は、無線端末装置１０２Ａに対応する接点アイコンＩｃＢの色、すなわち赤色および黄色の２つのライトを点灯させることを指示する点灯命令を警告灯１３１へ送信する。そして、警告灯１３１は、出力制御部１３から受信した点灯命令に基づいて、赤色および黄色の２つのライトを点灯させる。
【０１６６】
（ｂ）パターン２
また、出力制御部１３は、接点Ｐ１がクローズの状態である無線端末装置１０２が存在しない場合、接点Ｐ１〜Ｐ４のうちの次に優先度の高い接点Ｐ２がクローズの状態である無線端末装置１０２が存在するか否かを確認する。そして、出力制御部１３は、接点Ｐ２がクローズの状態である無線端末装置１０２が存在する場合、当該無線端末装置１０２に対応する接点アイコンＩｃＢの色に基づいて、警告灯１３１Ａの点灯色を決定する。
【０１６７】
図９に示すパターン２では、無線端末装置１０２Ｅは、接点Ｐ２〜接点Ｐ４がクローズの状態であり、接点Ｐ１がオープンの状態である。
【０１６８】
この場合、出力制御部１３は、無線端末装置１０２Ｅに対応する接点アイコンＩｃＢの色、すなわち黄色、緑色および青色の３つのライトを点灯させることを指示する点灯命令を警告灯１３１へ送信する。そして、警告灯１３１は、出力制御部１３から受信した点灯命令に基づいて、黄色、緑色および青色の３つのライトを点灯させる。
【０１６９】
なお、出力制御部１３は、接点Ｐ１および接点Ｐ２のうちの少なくともいずれか一方がクローズの状態である無線端末装置１０２が存在しない場合、次に優先度の高い接点Ｐ３がクローズの状態である無線端末装置１０２が存在するか否かを確認する。そして、管理装置１０１は、接点Ｐ３がクローズの状態である無線端末装置１０２が存在する場合、当該無線端末装置１０２に対応する接点アイコンＩｃＢの色に基づいて、警告灯１３１の点灯色を決定する。
【０１７０】
また、出力制御部１３は、接点Ｐ１〜接点Ｐ３のうちの少なくともいずれか１つがクローズの状態である無線端末装置１０２が存在しない場合、次に優先度の高い接点Ｐ４がクローズの状態である無線端末装置１０２が存在するか否かを確認する。そして、出力制御部１３は、接点Ｐ４がクローズの状態である無線端末装置１０２が存在する場合、当該無線端末装置１０２に対応する接点アイコンＩｃＢの色に基づいて、警告灯１３１の点灯色を決定する。
【０１７１】
また、出力制御部１３は、接点Ｐ１〜Ｐ４のうちの少なくともいずれか１つがクローズの状態である無線端末装置１０２が存在しない場合、警告灯１３１への点灯命令の送信を行わない。
【０１７２】
＜点灯パターンの変形例４＞
変形例４に係る管理装置１０１は、複数の無線端末装置１０２のうち、予め指定された無線端末装置１０２からの状態情報に基づいて、警告灯１３１の点灯を制御する。
【０１７３】
図１０は、本発明の実施の形態に係る管理装置により制御される警告灯の点灯パターンの変形例４を示す図である。
【０１７４】
図１０を参照して、ここでは、３つの無線端末装置１０２Ａ，１０２Ｂ，１０２Ｃに対して１つの警告灯１３１Ａが対応付けられ、２つの無線端末装置１０２Ｄ，１０２Ｅに対して１つの警告灯１３１Ｂが対応付けられているとする。
【０１７５】
また、３つの無線端末装置１０２Ａ，１０２Ｂ，１０２Ｃのうち、無線端末装置１０２Ａが予め指定されているとする。また、２つの無線端末装置１０２Ｄ，１０２Ｅのうち、無線端末装置１０２Ｅが予め指定されているとする。なお、管理者は、複数の無線端末装置１０２のうちのいずれか１つを任意に指定することができる。
【０１７６】
（ａ）パターン１
この場合、たとえばパターン１のように、管理装置１０１における出力制御部１３は、無線端末装置１０２Ｂに対応する設備Ｘの状態、および無線端末装置１０２Ｃに対応する設備Ｘの状態に関わらず、無線端末装置１０２Ａに対応する設備Ｘの状態に基づいて、警告灯１３１Ａの点灯を制御する。
【０１７７】
具体的には、出力制御部１３は、無線端末装置１０２Ａから送信された状態情報に基づいて、無線端末装置１０２Ａにおける接点Ｐ１および接点Ｐ２がクローズの状態であり、無線端末装置１０２Ａにおける接点Ｐ３および接点Ｐ３がオープンの状態であることを認識したとする。
【０１７８】
この場合、出力制御部１３は、赤色および黄色の２つのライトを点灯させることを指示する点灯命令を警告灯１３１Ａへ送信する。そして、警告灯１３１Ａは、出力制御部１３から受信した点灯命令に基づいて、赤色および黄色の２つのライトを点灯させる。
【０１７９】
（ｂ）パターン２
また、出力制御部１３は、パターン２のように、無線端末装置１０２Ｄに対応する設備Ｘの状態に関わらず、無線端末装置１０２Ｅに対応する設備Ｘの状態に基づいて、警告灯１３１Ｂの点灯を制御する。
【０１８０】
具体的には、出力制御部１３は、無線端末装置１０２Ｅから送信された状態情報に基づいて、無線端末装置１０２Ｅにおける接点Ｐ１〜Ｐ４がいずれもオープンの状態であることを認識したとする。この場合、出力制御部１３は、警告灯１３１Ｂへの点灯命令の送信を行わないことを決定する。これにより、警告灯１３１Ｂにおけるライトは消灯された状態となる。
【０１８１】
（ｃ）パターン３
また、出力制御部１３は、パターン３のように、無線端末装置１０２Ａから送信された状態情報に基づいて、無線端末装置１０２Ａにおける接点Ｐ３および接点Ｐ４がクローズの状態であり、無線端末装置１０２Ａにおける接点Ｐ１および接点Ｐ２がオープンの状態であることを認識したとする。
【０１８２】
この場合、出力制御部１３は、緑色および青色の２つのライトを点灯させることを指示する点灯命令を警告灯１３１Ａへ送信する。そして、警告灯１３１Ａは、出力制御部１３から受信した点灯命令に基づいて、緑色および青色の２つのライトを点灯させる。
【０１８３】
（ｄ）パターン４
また、出力制御部１３は、パターン４のように、無線端末装置１０２Ｅから送信された状態情報に基づいて、無線端末装置１０２Ｅにおける接点Ｐ２〜Ｐ４がクローズの状態であり、無線端末装置１０２Ｅにおける接点Ｐ１がオープンの状態であることを認識したとする。
【０１８４】
この場合、出力制御部１３は、黄色、緑色および青色の３つのライトを点灯させることを指示する点灯命令を警告灯１３１Ｂへ送信する。そして、警告灯１３１Ｂは、出力制御部１３から受信した点灯命令に基づいて、黄色、緑色および青色の３つのライトを点灯させる。
【０１８５】
なお、本発明の実施の形態に係る管理装置１０１では、表示処理部１２は、接点Ｐの状態の優先度に応じて代表アイコンＩｃＡの色を設定する構成であるとしたが、これに限定するものではない。表示処理部１２は、接点Ｐの状態の優先度に応じて代表アイコンＩｃＡの表示態様を設定する構成であればよい。具体的には、たとえば、表示処理部１２は、代表アイコンＩｃＡの、模様、点滅速度、形状またはサイズを変更する構成であってもよい。この場合、各代表アイコンＩｃＡの色が同じであっても、各代表アイコンＩｃＡを区別することが可能である。
【０１８６】
また、本発明の実施の形態に係る管理装置１０１では、表示処理部１２は、接点Ｐ１〜Ｐ４の状態に応じて接点アイコンＩｃＢにおける対応のアイコンＢ１〜Ｂ４の色をそれぞれ設定する構成であるとしたが、これに限定するものではない。表示処理部１２は、接点Ｐ１〜Ｐ４の状態に応じて接点アイコンＩｃＢにおける対応のアイコンＢ１〜Ｂ４の表示態様をそれぞれ設定する構成であればよい。具体的には、たとえば、表示処理部１２は、アイコンＢ１〜Ｂ４の、模様、点滅速度、形状またはサイズを変更する構成であってもよい。この場合、アイコンＢ１〜Ｂ４の色が同じであっても、アイコンＢ１〜Ｂ４を区別することが可能である。
【０１８７】
ところで、上述した特許文献１に記載のような装置によれば、人手を介さずに設備において生じた異常の検知を行うことができる。また、検知結果を画面に表示することにより、管理者において、設備における異常を視覚的に容易に把握することができる。
【０１８８】
しかしながら、監視対象である設備において、ある機能に関しては異常が生じており、他の機能は正常である場合など、複数の状態が生じていることがある。このような場合、たとえば画面の表示領域に制限があると、設備の状況を的確に把握することが困難である。
【０１８９】
これに対して、本発明の実施の形態に係る管理装置１０１では、取得部１１が、複数の接点Ｐを備える１または複数の無線端末装置１０２から、各接点Ｐの状態を示す状態情報を取得する。また、表示処理部１２が、取得部１１により取得された状態情報に基づいて、無線端末装置１０２を示す代表アイコンＩｃＡを表示する処理を行う。接点Ｐのとりうる状態は、クローズ、オープンおよび未接続のいずれかである。表示処理部１２は、接点Ｐの状態の優先度に応じて代表アイコンＩｃＡの表示態様を設定する。
【０１９０】
このような構成により、複数の接点Ｐの各々の状態が異なる場合であっても、優先度の高い状態に対応する態様で代表アイコンＩｃＡが表示される。
【０１９１】
すなわち、設備Ｘにおける複数の状態に対して、複数の接点Ｐの状態をそれぞれ対応付けておくことにより、設備Ｘにおける複数の状態のうち、管理者に通知すべき優先度の高い状態に応じた態様で代表アイコンＩｃＡを表示することができる。したがって、監視対象である設備Ｘにおいて複数の状態が生じている場合において、当該設備Ｘの状況をより的確に把握することができる。
【０１９２】
また、本発明の実施の形態に係る無線端末装置１０２における各接点Ｐには優先度が付与されている。また、管理装置１０１における表示処理部１２が、接点Ｐの状態の優先度および接点Ｐの優先度に応じて代表アイコンＩｃＡの表示態様を設定する。
【０１９３】
このような構成により、同一の状態である接点Ｐが複数存在している場合であっても、これら複数の接点Ｐのうち、優先度の高い接点Ｐに対応する態様で代表アイコンＩｃＡが表示される。これにより、たとえば、設備Ｘにおいて複数の異なる種類の異常が生じている場合であっても、通知すべき優先度の高い状態を管理者に通知することができる。
【０１９４】
また、本発明の実施の形態に係る管理装置１０１では、表示処理部１２が、各接点Ｐの状態を示す態様の接点アイコンＩｃＢを、代表アイコンＩｃＡとともに表示する処理を行う。
【０１９５】
このような構成により、代表アイコンＩｃＡにより示されない情報を接点アイコンＩｃＢにより通知することができるため、設備Ｘの詳細な状態を管理者に通知することができる。
【０１９６】
また、本発明の実施の形態に係る管理装置１０１では、表示処理部１２は、接点Ｐの状態の優先度に応じて代表アイコンＩｃＡの色を設定する。
【０１９７】
このような構成により、代表アイコンＩｃＡの表示色を利用して、管理者において設備Ｘの状況をより的確に把握することができる。
【０１９８】
また、本発明の実施の形態に係る管理装置１０１では、表示処理部１２が、代表アイコンＩｃＡに対する所定の操作が行われた場合に接点アイコンＩｃＢを表示する処理を行う。
【０１９９】
このような構成により、たとえば管理者により選択された設備Ｘのみに対応する接点アイコンＩｃＢを表示することが可能であるため、画面の表示が煩雑になることを避けることができる。
【０２００】
また、本発明の実施の形態に係る管理装置１０１では、出力制御部１３が、取得部１１により取得された状態情報に基づいて、対応の無線端末装置１０２に対応付けられた警告灯１３１の点灯を制御する出力制御を行う。
【０２０１】
このような構成により、設備Ｘの状態に応じて、代表アイコンＩｃＡの表示、および警告灯１３１の点灯の制御の両方を行うことができるため、設備Ｘの状況をより確実に把握することができる。
【０２０２】
また、本発明の実施の形態に係る管理システム２０１では、警告灯１３１が、複数の無線端末装置１０２に対応付けられている。また、管理装置１０１における出力制御部１３が、対応の各状態情報に基づいて、複数の無線端末装置１０２の各々の接点Ｐの状態のうち最も優先度の高い状態に応じて出力制御を行う。
【０２０３】
このような構成により、管理者において警告灯１３１の点灯を確認することで、複数の設備Ｘの各々の状況をまとめて把握することができる。
【０２０４】
また、本発明の実施の形態に係る管理装置１０１では、出力制御部１３が、対応の各無線端末装置１０２に付与された優先度に応じて出力制御を行う。
【０２０５】
このような構成により、複数の設備Ｘにおいて異常が生じている場合であっても、優先度の高い無線端末装置１０２に対応する設備Ｘの状態に応じて警告灯１３１を点灯させることができる。
【０２０６】
また、本発明の実施の形態に係る管理装置１０１では、出力制御部１３が、対応の各無線端末装置１０２の各接点Ｐに付与された優先度に応じて出力制御を行う。
【０２０７】
このような構成により、複数の設備Ｘにおいて異常が生じている場合であっても、通知すべき優先度の高い状態である設備Ｘの状態に応じて警告灯１３１が点灯させることができる。
【０２０８】
また、本発明の実施の形態に係る管理装置１０１では、出力制御部１３が、対応の各無線端末装置１０２のうち、予め指定された無線端末装置１０２の状態情報に基づいて出力制御を行う。
【０２０９】
このような構成により、１つの警告灯１３１に対して複数の無線端末装置１０２が対応付けられている場合であっても、管理者において、指定した無線端末装置１０２に対応する設備Ｘの状況をより確実に把握することができる。
【０２１０】
また、本発明の実施の形態に係る管理システム２０１では、無線端末装置１０２が、複数の接点Ｐを備え、各接点Ｐの状態を示す状態情報を送信する。また、管理装置１０１が、無線端末装置１０２から送信された状態情報を受信し、受信した状態情報に基づいて、無線端末装置１０２を示す代表アイコンＩｃＡを表示する処理を行う。また、接点Ｐのとりうる状態は、クローズ、オープンおよび未接続のいずれかであり、管理装置１０１は、接点Ｐの状態の優先度に応じて代表アイコンＩｃＡの表示態様を設定する。
【０２１１】
このような構成により、複数の接点Ｐの各々の状態が異なる場合であっても、優先度の高い状態に対応する態様で代表アイコンＩｃＡが表示される。
【０２１２】
すなわち、設備Ｘにおける複数の状態に対して、複数の接点Ｐの状態をそれぞれ対応付けておくことにより、設備Ｘにおける複数の状態のうち、管理者に通知すべき優先度の高い状態に応じた態様で代表アイコンＩｃＡを表示することができる。したがって、監視対象である設備Ｘにおいて複数の状態が生じている場合において、当該設備Ｘの状況をより的確に把握することができる。
【０２１３】
また、本発明の実施の形態に係る管理方法では、まず、管理装置１０１が、複数の接点Ｐを備える１または複数の無線端末装置１０２から、各接点Ｐの状態を示す状態情報を取得する。次に、管理装置１０１が、取得した状態情報に基づいて、無線端末装置１０２を示す代表アイコンＩｃＡを表示する処理を行う。接点Ｐのとりうる状態は、クローズ、オープンおよび未接続のいずれかである。管理装置１０１は、代表アイコンＩｃＡを表示する処理を行う際、接点Ｐの状態の優先度に応じて代表アイコンＩｃＡの表示態様を設定する。
【０２１４】
このような方法により、複数の接点Ｐの各々の状態が異なる場合であっても、優先度の高い状態に対応する態様で代表アイコンＩｃＡが表示される。
【０２１５】
すなわち、設備Ｘにおける複数の状態に対して、複数の接点Ｐの状態をそれぞれ対応付けておくことにより、設備Ｘにおける複数の状態のうち、管理者に通知すべき優先度の高い状態に応じた態様で代表アイコンＩｃＡを表示することができる。したがって、監視対象である設備Ｘにおいて複数の状態が生じている場合において、当該設備Ｘの状況をより的確に把握することができる。
【０２１６】
なお、本発明の実施の形態に係る管理装置１０１の機能の一部または全部が、クラウドコンピューティングによって提供されてもよい。すなわち、本発明の実施の形態に係る管理装置１０１が、複数のクラウド事業者サーバ等によって構成されてもよい。
【０２１７】
上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【０２１８】
以上の説明は、以下に付記する特徴を含む。
【０２１９】
［付記１］
複数の接点を備える１または複数の無線端末装置から、各前記接点の状態を示す状態情報を取得する取得部と、
前記取得部により取得された前記状態情報に基づいて、前記無線端末装置を示す代表アイコンを表示する処理を行う表示処理部とを備え、
前記接点のとりうる状態は、クローズ、オープンおよび未接続のいずれかであり、
前記表示処理部は、前記接点の状態の優先度に応じて前記代表アイコンの色を設定し、
前記無線端末装置は、対応する設備に取り付けられており、
前記接点は、４つ設けられ、
４つの前記接点は、それぞれ、前記設備に重大な異常が生じている状態、前記設備に比較的低いレベルの異常が生じている状態、前記設備に対する作業が要求されている状態、および前記設備が稼働していない状態に対応付けられており、
前記４つの接点の各々のクローズの状態およびオープンの状態は、前記設備における対応する状態の有無に応じて設定される、管理装置。
【０２２０】
［付記２］
複数の接点を備え、各前記接点の状態を示す状態情報を送信する１または複数の無線端末装置と、
前記無線端末装置から送信された前記状態情報を受信し、受信した前記状態情報に基づいて、前記無線端末装置を示す代表アイコンを表示する処理を行う管理装置とを備え、
前記接点のとりうる状態は、クローズ、オープンおよび未接続のいずれかであり、
前記管理装置は、前記接点の状態の優先度に応じて前記代表アイコンの色を設定する、管理システムであって、
前記管理システムは、さらに、
センサと、
情報処理部と、
制御部と、
複数のスイッチとを備え、
前記複数の接点は、前記複数のスイッチとそれぞれ接続されており、
前記情報処理部は、前記センサによる計測結果に基づいて、前記設備に生じている異常を検知し、検知結果を前記制御部へ出力し、
前記制御部は、前記情報処理部から受けた前記検知結果に基づいて、前記複数のスイッチを制御することにより、前記接点の状態を設定する、管理システム。
【符号の説明】
【０２２１】
１１  取得部
１２  表示処理部
１３  出力制御部
２１  センサ
２２  情報処理部
２３  制御部
３１  通信部
１０１  管理装置
１０２  無線端末装置
１２１  アクセスポイント
１３１  警告灯（出力装置）
２０１  管理システム
Ｐ１〜Ｐ４  接点
ＳＷ１〜ＳＷ４  スイッチ
Ｘ  設備
【要約】
管理装置は、複数の接点を備える１または複数の無線端末装置から、各前記接点の状態を示す状態情報を取得する取得部と、前記取得部により取得された前記状態情報に基づいて、前記無線端末装置を示す代表アイコンを表示する処理を行う表示処理部とを備え、前記接点のとりうる状態は、クローズ、オープンおよび未接続のいずれかであり、前記表示処理部は、前記接点の状態の優先度に応じて前記代表アイコンの表示態様を設定する。【図１】
0006436272.tif 000002
【図２】
0006436272.tif 000003
【図３】
0006436272.tif 000004
【図４】
0006436272.tif 000005
【図５】
0006436272.tif 000006
【図６】
0006436272.tif 000007
【図７】
0006436272.tif 000008
【図８】
0006436272.tif 000009
【図９】
0006436272.tif 000010
【図１０】
0006436272.tif 000011